(57)【特許請求の範囲】
【請求項１】
第１の壁部と、前記第１の壁部に対向する第２の壁部とを備え、手挿入口から前記第１の壁部および前記第２の壁部の間へ手を挿抜可能に形成された手挿入部と、
前記第１の壁部に設けられ、高圧空気流を噴出する第１のノズル部と、
前記第２の壁部に設けられ、高圧空気流を噴出する第２のノズル部と、を有し、
前記第１のノズル部および前記第２のノズル部の少なくとも一方は、複数のノズル孔を概略直線状に並列させてなるノズル孔群が、前記手挿入部の中央部から一方の端部側、および前記中央部から他方の端部側のそれぞれに複数設けられ、
前記ノズル孔群は、前記手挿入部の中央部側に位置するノズル孔が挿入手前側、前記手挿入部の端部側に位置するノズル孔が挿入奥側となるように、前記複数のノズル孔を斜めに並列させ、
前記中央部から前記端部側への方向に互いに隣り合うノズル孔群同士にて、前記端部側のノズル孔群のうち前記挿入手前側の端のノズル孔が、前記中央部側のノズル孔群のうち前記挿入奥側の端のノズル孔よりも、前記挿入手前側に位置することを特徴とする手乾燥装置。
【請求項２】
第１の壁部と、前記第１の壁部に対向する第２の壁部とを備え、手挿入口から前記第１の壁部および前記第２の壁部の間へ手を挿抜可能に形成された手挿入部と、
前記第１の壁部に設けられ、高圧空気流を噴出する第１のノズル部と、
前記第２の壁部に設けられ、高圧空気流を噴出する第２のノズル部と、を有し、
前記第１のノズル部および前記第２のノズル部の少なくとも一方は、スリット状に形成されたノズル孔が、前記手挿入部の中央部から一方の端部側、および前記中央部から他方の端部側のそれぞれに複数設けられ、
前記ノズル孔は、前記手挿入部の中央部側の部分が挿入手前側、前記手挿入部の端部側の部分が挿入奥側となるように斜めに形成され、
前記中央部から前記端部側への方向に互いに隣り合うノズル孔同士にて、前記端部側のノズル孔のうち前記挿入手前側の端が、前記中央部側のノズル孔のうち前記挿入奥側の端よりも、前記挿入手前側に位置することを特徴とする手乾燥装置。
【請求項３】
複数の前記ノズル孔群は、前記中央部側に位置するノズル孔同士が略同じ直線上にあるように配置されることを特徴とする請求項１に記載の手乾燥装置。
【請求項４】
複数の前記ノズル孔は、前記中央部側の部分同士が略同じ直線上にあるように配置されることを特徴とする請求項２に記載の手乾燥装置。
【請求項５】
複数の前記ノズル孔群は、前記端部側に位置するノズル孔群が、前記中央部側に位置するノズル孔群よりも前記挿入奥側に設けられることを特徴とする請求項１に記載の手乾燥装置。
【請求項６】
複数の前記ノズル孔は、前記端部側に位置するノズル孔が、前記中央部側に位置するノズル孔よりも前記挿入奥側に設けられることを特徴とする請求項２に記載の手乾燥装置。
【請求項７】
前記端部側に位置するノズル孔群は、前記中央部側に位置するノズル孔群よりも、前記複数のノズル孔を並列させる傾きが水平方向に近くなるように形成されることを特徴とする請求項１、３および５のいずれか一つに記載の手乾燥装置。
【請求項８】
前記端部側に位置するノズル孔群は、前記中央部側に位置するノズル孔群よりも短く形成されることを特徴とする請求項１、３および５のいずれか一つに記載の手乾燥装置。
【請求項９】
複数の前記ノズル孔群のうち、前記中央部側に位置する一部のノズル孔群について、前記複数のノズル孔を斜めに並列させ、前記端部側に位置するノズル孔群は、前記複数のノズル孔を略水平に並列させることを特徴とする請求項１、３および５のいずれか一つに記載の手乾燥装置。
【請求項１０】
前記端部側に位置するノズル孔は、前記中央部側に位置するノズル孔よりも、傾きが水平方向に近くなるように形成されることを特徴とする請求項２、４および６のいずれか一つに記載の手乾燥装置。
【請求項１１】
前記端部側に位置するノズル孔は、前記中央部側に位置するノズル孔よりも短く形成されることを特徴とする請求項２、４および６のいずれか一つに記載の手乾燥装置。
【請求項１２】
複数の前記ノズル孔のうち、前記中央部側に位置する一部のノズル孔は斜めに形成され、前記端部側に位置するノズル孔は、略水平に形成されることを特徴とする請求項２、４および６のいずれか一つに記載の手乾燥装置。
【請求項１３】
前記第１のノズル部を構成する少なくとも一部のノズル孔は、前記第２の壁部のうち前記第２のノズル部を構成するノズル孔が形成された位置以外の位置に正対し、
前記第２のノズル部を構成する少なくとも一部のノズル孔は、前記第１の壁部のうち前記第１のノズル部を構成するノズル孔が形成された位置以外の位置に正対することを特徴とする請求項１から１２のいずれか一つに記載の手乾燥装置。
【請求項１４】
手挿入口から手を挿抜可能に形成された手挿入部と、
前記手挿入部へ高圧空気流を噴出するノズル部と、
前記手挿入部のうち前記ノズル部に対向する位置に設けられた水受け部と、を有し、
前記ノズル部は、複数のノズル孔を概略直線状に並列させてなるノズル孔群が、前記手挿入部の中央部から一方の端部側、および前記中央部から他方の端部側のそれぞれに複数設けられ、
前記ノズル孔群は、前記手挿入部の中央部側に位置するノズル孔が挿入手前側、前記手挿入部の端部側に位置するノズル孔が挿入奥側となるように、前記複数のノズル孔を斜めに並列させ、
前記中央部から前記端部側への方向に互いに隣り合うノズル孔群同士にて、前記端部側のノズル孔群のうち前記挿入手前側の端のノズル孔が、前記中央部側のノズル孔群のうち前記挿入奥側の端のノズル孔よりも、前記挿入手前側に位置することを特徴とする手乾燥装置。
【請求項１５】
手挿入口から手を挿抜可能に形成された手挿入部と、
前記手挿入部へ高圧空気流を噴出するノズル部と、
前記手挿入部のうち前記ノズル部に対向する位置に設けられた水受け部と、を有し、
前記ノズル部は、スリット状に形成されたノズル孔が、前記手挿入部の中央部から一方の端部側、および前記中央部から他方の端部側のそれぞれに複数設けられ、
前記ノズル孔は、前記手挿入部の中央部側の部分が挿入手前側、前記手挿入部の端部側の部分が挿入奥側となるように斜めに形成され、
前記中央部から前記端部側への方向に互いに隣り合うノズル孔同士にて、前記端部側のノズル孔のうち前記挿入手前側の端が、前記中央部側のノズル孔のうち前記挿入奥側の端よりも、前記挿入手前側に位置することを特徴とする手乾燥装置。
【請求項１６】
複数の前記ノズル孔群は、前記中央部側に位置するノズル孔同士が略同じ直線上にあるように配置されることを特徴とする請求項１４に記載の手乾燥装置。
【請求項１７】
複数の前記ノズル孔は、前記中央部側の部分同士が略同じ直線上にあるように配置されることを特徴とする請求項１５に記載の手乾燥装置。
【請求項１８】
複数の前記ノズル孔群は、前記端部側に位置するノズル孔群が、前記中央部側に位置するノズル孔群よりも前記挿入奥側に設けられることを特徴とする請求項１４に記載の手乾燥装置。
【請求項１９】
複数の前記ノズル孔は、前記端部側に位置するノズル孔が、前記中央部側に位置するノズル孔よりも前記挿入奥側に設けられることを特徴とする請求項１５に記載の手乾燥装置。
【発明の詳細な説明】
【技術分野】
【０００１】
本発明は、洗浄後の濡れた手を高圧空気流の吹出しによって衛生的に乾燥処理する手乾燥装置に関する。
【背景技術】
【０００２】
濡れた手を乾燥させるための手乾燥装置は、使用者が手挿入口から手を挿入すると、挿入した手に対向する位置のノズルから高圧空気流を噴出させ、手に付着した水滴を吹き飛ばすことで、濡れた手を乾燥させる。従来、手乾燥装置は、手に衝突した高圧空気流が使用者に吹き返されることや、吹き飛ばされた水滴が周囲に飛散することが課題となっている。
【０００３】
この課題に対して、例えば特許文献１には、平面内で揃えられた状態の両手に対して中央が手元寄りで、両端に向かって手先寄りとなるライン状噴流を噴出させる技術が開示されている。手に衝突したライン状噴流の多くが手挿入部の内側寄りの斜め下方へ水滴とともに吹き飛ばされる作用と、手に衝突したライン状噴流の一部が手挿入部の外側寄りの斜め上方へ左右に離反するように吹き返される作用とで、使用者への高圧空気流の吹き返しや水滴の飛散を低減させる。
【先行技術文献】
【特許文献】
【０００４】
【特許文献１】特開２００２−１３６４４８号公報
【発明の概要】
【発明が解決しようとする課題】
【０００５】
上記のライン状噴流は、中央が手元寄りで、両端に向かって手先寄りとなるように傾けられたライン状のノズルから噴出させる。しかし、ライン状のノズルに傾きを持たせる分、手挿入部が挿入奥側へ長くなるため、手挿入部へ深く手を挿入する必要が生じることで使い勝手が悪くなる、製品サイズが大きくなるという課題が生じる。特に、狭い空間であることが多いトイレに設置される場合は、製品サイズがコンパクトであることが強く要望されている。
【０００６】
本発明は、上記に鑑みてなされたものであって、製品サイズを大きくさせず、使用者への空気流の吹き返しおよび水滴の飛散を防止可能とし、使用者にとって使い勝手の良い手乾燥装置を得ることを目的とする。
【課題を解決するための手段】
【０００７】
上述した課題を解決し、目的を達成するために、本発明は、第１の壁部と、前記第１の壁部に対向する第２の壁部とを備え、手挿入口から前記第１の壁部および前記第２の壁部の間へ手を挿抜可能に形成された手挿入部と、前記第１の壁部に設けられ、高圧空気流を噴出する第１のノズル部と、前記第２の壁部に設けられ、高圧空気流を噴出する第２のノズル部と、を有し、前記第１のノズル部および前記第２のノズル部の少なくとも一方は、複数のノズル孔を概略直線状に並列させてなるノズル孔群が、前記手挿入部の中央部から一方の端部側、および前記中央部から他方の端部側のそれぞれに複数設けられ、前記ノズル孔群は、前記手挿入部の中央部側に位置するノズル孔が挿入手前側、前記手挿入部の端部側に位置するノズル孔が挿入奥側となるように、前記複数のノズル孔を斜めに並列させることを特徴とする。
【発明の効果】
【０００８】
本発明によれば、複雑な構成を用いず、製品サイズを大きくすること無く、使用者への空気流の吹き返しおよび水滴の飛散を防止可能とし、使用者にとって使い勝手の良い手乾燥装置を得ることができる。
【図面の簡単な説明】
【０００９】
【図１】図１は、本発明の実施の形態１にかかる手乾燥装置の斜視図である。
【図２】図２は、手乾燥装置の断面図である。
【図３】図３は、第１のノズル部の平面図である。
【図４】図４は、手挿入部へ手が挿入された状態を示す平面概略図である。
【図５】図５は、本実施の形態の比較例であって、左右それぞれに一直線状のノズル孔を１つずつ設ける場合について説明する図である。
【図６】図６は、第１変形例の第１のノズル部の平面図である。
【図７】図７は、ノズル孔群とスリット状のノズル孔とを混在させた第１のノズル部の平面図である。
【図８】図８は、第２変形例の第１のノズル部の平面図である。
【図９】図９は、中央部側に対して端部側が挿入奥側となるように中央部に角度を持たせた線を採用する場合の第１のノズル部の平面図である。
【図１０】図１０は、中央部を中心とする一定の範囲には傾きを持たせず、端部側の一部に傾きを持たせた線を採用する場合の第１のノズル部の平面図である。
【図１１】図１１は、第３変形例の第１のノズル部の平面図である。
【図１２】図１２は、第４変形例の第１のノズル部の平面図である。
【図１３】図１３は、第５変形例の第１のノズル部の平面図である。
【図１４】図１４は、本発明の実施の形態２にかかる手乾燥装置の特徴部分を示す模式図である。
【図１５】図１５は、実施の形態２の変形例について説明する図である。
【図１６】図１６は、本発明の実施の形態３にかかる手乾燥装置の斜視図である。
【発明を実施するための形態】
【００１０】
以下に、本発明にかかる手乾燥装置の実施の形態を図面に基づいて詳細に説明する。なお、この実施の形態によりこの発明が限定されるものではない。
【００１１】
実施の形態１．
図１は、本発明の実施の形態１にかかる手乾燥装置の斜視図である。図２は、手乾燥装置の断面図である。手挿入部３は、第１の壁部４と、第１の壁部４に対向する第２の壁部５とを備える。手挿入部３は、本体１上部の手挿入口２から第１の壁部４および第２の壁部５の間へ手を挿抜可能に形成されている。
【００１２】
第１のノズル部６は、第１の壁部４に設けられている。第２のノズル部７は、第２の壁部５に設けられている。第１のノズル部６および第２のノズル部７は、それぞれ手挿入口２から挿入された手に向けて高圧空気流を噴出する。送風機８は、第１のノズル部６および第２のノズル部７へ高圧空気を送風する。ドレンタンク９は、ドレン水を回収する。
【００１３】
図３は、第１のノズル部６の平面図である。第１のノズル部６は、複数のノズル孔群１０から構成されている。ノズル孔群１０は、手挿入部３の中央部から一方の端部側、および中央部から他方の端部側のそれぞれに複数設けられている。各ノズル孔群１０は、複数のノズル孔１２を概略直線状に並列させたものである。各ノズル孔群１０は、手挿入部３の中央部側に位置するノズル孔１２が挿入手前側、手挿入部３の端部側に位置するノズル孔が挿入奥側となるように、複数のノズル孔１２を斜めに並列させている。また、各ノズル孔群１０は、手挿入部３の中央部側に位置するノズル孔１２同士が略同じ直線１１上にあるように配置されている。第１のノズル部６は、手挿入部３の中央部に関して概略左右対称に複数のノズル孔群１０が配置されて構成されている。
【００１４】
使用者から見ると、手挿入部３の中央部から右側に位置するノズル孔群１０は、いずれも、左端のノズル孔１２を上、右端のノズル孔１２を下にして、略同じ傾きをなしている。また、手挿入部３の中央部から左側に位置するノズル孔群１０は、いずれも、右端のノズル孔１２を上、左端のノズル孔１２を下にして、略同じ傾きをなしている。さらに、各ノズル孔群１０のうち傾けられた上端に位置する各ノズル孔１２は、略同じ高さになるように配置されている。第２のノズル部７は、第１のノズル部６と同様に構成されている。
【００１５】
図４は、手挿入部３へ手が挿入された状態を示す平面概略図である。使用者が手挿入口２から手を挿入すると、第１のノズル部６と第２のノズル部７とから手に向けて高圧空気流が噴出される。濡れた手に付着している水滴１４は、高圧空気流によって吹き飛ばされる。吹き飛ばされた水滴１４は、手挿入部３の底部に設けられた排出口（図示省略）を通じて、ドレンタンク９へ回収される。第１のノズル部６および第２のノズル部７から噴出された空気流は、水滴１４を吹き飛ばしたあと、手挿入部３のうち本体１の両側面に形成された開口から、本体１の外部へ排出される。
【００１６】
中央部側が挿入手前となるようにノズル孔群１０が傾けられることで、使用者が自然な体勢で手挿入口２へ手を挿入したときに、手に当たった空気流Ａは、手挿入部３から左右斜め上方に向けて吹き返される。これにより、微小な水滴を含む空気流が、手乾燥装置の正面に立つ使用者に当たること、特に顔にはね返ることが低減される。
【００１７】
また、左右の手に吹き付けられた空気流Ｂは、手から吹き飛ばした水滴１４とともに、手挿入部３の中央寄りの斜め下方に吹き飛ばされる。水滴１４は手挿入部３の底面中央部に効率良く集められ、周囲への飛散が抑制される。
【００１８】
図５は、本実施の形態の比較例であって、左右それぞれに一直線状のノズル孔１３を１つずつ設ける場合について説明する図である。ノズル孔１３は、手挿入部３の中央部側を上、端部側を下として傾けられている。ノズル孔１３は、挿入方向について長さＬｂの範囲に設けられている。
【００１９】
これに対して、図４に示す本実施の形態の場合、上端に位置する各ノズル孔１２は、略同じ直線１１上に位置するように複数のノズル孔群１０を設けることで、挿入方向においてノズル孔群１０が設けられる範囲の長さＬａは、上記の比較例の場合に比べて短くなる（Ｌａ＜Ｌｂ）。手挿入部３は、挿入方向においてノズル孔群１０が設けられる範囲を短くできる分、手を収容するのに必要な奥行きを短くすることが可能となる。
【００２０】
使用者は、手挿入部３へ手首までを挿入するまでの挿入行程距離が短くなる分、より自然な体勢での利用が可能となる等、使い勝手が良くなる。手乾燥装置は、手挿入部３の奥行きを短くできることで、製品サイズの縮小が可能となる。これにより、製品サイズを大きくさせず、使用者への空気流の吹き返しおよび水滴の飛散を防止可能とし、使用者にとって使い勝手の良い手乾燥装置を得ることができる。
【００２１】
次に、第１のノズル部６および第２のノズル部７の変形例について説明する。図６は、第１変形例の第１のノズル部６の平面図である。本変形例の第１のノズル部６は、スリット状に形成されたノズル孔１５が複数設けられて構成されている。ノズル孔１５は、手挿入部３の中央部から一方の端部側、および中央部から他方の端部側のそれぞれに複数設けられている。ノズル孔１５は、手挿入部３の中央部側の部分が挿入手前側、手挿入部３の端部側の部分が挿入奥側となるように斜めに形成されている。また、各ノズル孔１５は、手挿入部３の中央部側の部分同士が略同じ直線１１上にあるように配置されている。第１のノズル部６は、手挿入部３の中央部に関して概略左右対称に複数のノズル孔１５が配置されて構成されている。
【００２２】
スリット状の複数のノズル孔１５を設ける場合も、複数のノズル孔群１０を設ける場合と同様の効果を得ることができる。また、図７に示すように、複数のノズル孔１２を並列させたノズル孔群１０と、スリット状のノズル孔１５とを混在させても良い。
【００２３】
図８は、第２変形例の第１のノズル部６の平面図である。本変形例の第１のノズル部６は、各ノズル孔群１０のうち中央部側に位置するノズル孔１２同士が略同じ円弧１６上にあるように、各ノズル孔群１０が配置されている。本変形例では、手挿入部３の端部側に位置するノズル孔群１０が、手挿入部３の中央部側に位置するノズル孔群１０よりも挿入奥側に位置している。
【００２４】
本変形例の場合、中央部側のノズル孔１２を直線１１（図３参照）上とする場合に比べて、端部側に位置するノズル孔群１０が挿入奥側に配置されることとなる。その分、挿入方向においてノズル孔群１０が設けられる範囲が長くなる一方、使用者への空気流の吹き返しや水滴の飛散をさらに抑制させることが可能となる。
【００２５】
本変形例は、端部側に位置するノズル孔群１０が中央部側に位置するノズル孔群１０よりも挿入奥側に位置する構成であれば良く、中央部側に位置するノズル孔１２同士が円弧１６上にある場合に限られない。円弧１６に代えて、中央部側に対して端部側が挿入奥側となるように中央部に角度を持たせた線１７（図９参照）や、中央部を中心とする一定の範囲には傾きを持たせず、端部側の一部に傾きを持たせた線１８（図１０参照）を採用しても良い。
【００２６】
本変形例は、スリット状のノズル孔１５について適用することとしても良い。この場合も、手挿入部３の端部側に位置するノズル孔１５が、手挿入部３の中央部側に位置するノズル孔１５よりも挿入奥側に位置している。この場合も、複数のノズル孔群１０を採用する場合と同様の効果を得ることができる。
【００２７】
図１１は、第３変形例の第１のノズル部６の平面図である。本変形例の第１のノズル部６は、複数のノズル孔１２を並列させる傾きを異ならせてノズル孔群１０が設けられている。端部側に位置するノズル孔群１０は、中央部側に位置するノズル孔群１０よりも、ノズル孔１２を並列させる傾きが水平方向に近くなるように形成されている。ここで、直線１１は、水平方向に平行であるものとする。
【００２８】
本変形例の場合、中央部から右側、中央部から左側においてそれぞれ一定の傾きでノズル孔群１０を設ける場合に比べて、端部側に位置するノズル孔群１０が挿入方向について短い範囲内に配置されることとなる。その分、手を収容するのに必要な奥行きをさらに短くでき、さらに使い勝手を向上させることが可能となる。
【００２９】
本変形例は、スリット状のノズル孔１５について適用することとしても良い。この場合、端部側に位置するノズル孔１５は、中央部側に位置するノズル孔１５よりも、傾きが水平方向に近くなるように形成される。この場合も、複数のノズル孔群１０を採用する場合と同様の効果を得ることができる。
【００３０】
図１２は、第４変形例の第１のノズル部６の平面図である。本変形例の第１のノズル部６は、長さを異ならせたノズル孔群１０が設けられている。端部側に位置するノズル孔群１０は、中央部側に位置するノズル孔群１０よりも短く形成されている。なお、中央部から右側と左側とでそれぞれノズル孔群１０の傾きは一定であるものとする。
【００３１】
本変形例の場合、ノズル孔群１０の長さを一定にする場合に比べて、端部側に位置するノズル孔群１０が挿入方向について短い範囲内に配置されることとなる。その分、手を収容するのに必要な奥行きをさらに短くでき、さらに使い勝手を向上させることが可能となる。
【００３２】
本変形例は、スリット状のノズル孔１５について適用することとしても良い。この場合、端部側に位置するノズル孔１５は、中央部側に位置するノズル孔１５よりも短く形成されている。この場合も、複数のノズル孔群１０を採用する場合と同様の効果を得ることができる。
【００３３】
図１３は、第５変形例の第１のノズル部６の平面図である。本変形例の第１のノズル部６は、複数のノズル孔群１０のうち、中央部側に位置する一部のノズル孔群１０について、複数のノズル孔１２を斜めに並列させ、端部側に位置するノズル孔群１０は、複数のノズル孔１２を略水平に並列させる。
【００３４】
本変形例の場合も、端部側に位置するノズル孔群１０が挿入方向について短い範囲内に配置されることとなる。その分、手を収容するのに必要な奥行きをさらに短くでき、さらに使い勝手を向上させることが可能となる。
【００３５】
本変形例は、スリット状のノズル孔１５について適用することとしても良い。この場合、複数のノズル孔１５のうち、中央部側に位置する一部のノズル孔１５は斜めに形成され、端部側に位置するノズル孔１５は、略水平に形成される。この場合も、複数のノズル孔群１０を採用する場合と同様の効果を得ることができる。
【００３６】
各変形例の構成は、適宜組み合わせることとしても良い。例えば、第３から第５変形例の構成は、第２変形例の構成に適用することとしても良い。手乾燥装置は、第１のノズル部６と第２のノズル部７とが本実施の形態で説明する構成である場合に限られない。手乾燥装置は、第１のノズル部６および第２のノズル部７の少なくとも一方が、本実施の形態で説明する構成であれば良いものとする。
【００３７】
実施の形態２．
図１４は、本発明の実施の形態２にかかる手乾燥装置の特徴部分を示す模式図である。本実施の形態は、第１のノズル部６を構成するノズル孔群１０と、第２のノズル部７を構成するノズル孔群１０とが正対しないように互いにずれをなして配置されることを特徴とする。図１４では、第１のノズル部６と第２のノズル部７とにおけるノズル孔群１０の位置関係を説明するために、第１のノズル部６の平面構成に第２のノズル部７の平面構成を重ねて表している。
【００３８】
第１のノズル部６におけるノズル孔群１０の構成、第２のノズル部７におけるノズル孔群１０の構成は、いずれも実施の形態１と同様である。第１のノズル部６の平面構成と第２のノズル部７の平面構成とを重ねると、第１のノズル部６のノズル孔群１０と第２のノズル部７のノズル孔群１０とが交互に並ぶ。
【００３９】
第１のノズル部６のノズル孔群１０は、第２の壁部５のうち第２のノズル部７のノズル孔群１０が形成された位置以外の位置に正対している。また、第２のノズル部７のノズル孔群１０は、第１の壁部４のうち第１のノズル部６のノズル孔群１０が形成された位置以外の位置に正対している。
【００４０】
本実施の形態においても、実施の形態１と同様、製品サイズを大きくさせず、使用者への空気流の吹き返しおよび水滴の飛散を防止可能とし、使用者にとって使い勝手が良くなるという効果を得ることができる。また、本実施の形態では、第１のノズル部６から噴出される高圧空気流と第２のノズル部７から噴出される高圧空気流との衝突を低減させることができる。
【００４１】
手乾燥装置の騒音発生の主な要因としては、送風機８の駆動音、第１のノズル部６および第２のノズル部７からの高圧空気流の噴出により発生する噴出音、高圧空気流同士の衝突による衝突音がある。噴出音および衝突音を抑制させるには、第１のノズル部６および第２のノズル部７から噴出させる高圧空気流の風速あるいは風量を下げるという措置があるが、乾燥性能の悪化を招くこととなる。本実施の形態によると、高圧空気流の衝突音を抑制させることで、手乾燥装置の騒音を低減させることが可能となる。
【００４２】
なお、本実施の形態は、第１のノズル部６と第２のノズル部７とでノズル孔群１０が完全に正対しない構成である場合に限られない。第１のノズル部６を構成する少なくとも一部のノズル孔１２が第２の壁部５のうち第２のノズル部７を構成するノズル孔１２が形成された位置以外の位置に正対しており、第２のノズル部７を構成する少なくとも一部のノズル孔１２は第１の壁部４のうち第１のノズル部６を構成するノズル孔１２が形成された位置以外の位置に正対することで、騒音を低減させる効果を得ることが可能となる。また、第１のノズル部６および第２のノズル部７の少なくとも一方に、実施の形態１の各変形例のいずれかの構成を適用しても良い。
【００４３】
図１５は、本実施の形態の変形例について説明する図である。第１のノズル部６は、実施の形態１と同様に傾きを持たせたノズル孔群１０を有する。これに対して、第２のノズル部７は、いずれのノズル孔群１０も複数のノズル孔１２が直線１１上に並列するように設けられている。
【００４４】
本変形例の場合、第１のノズル部６と第２のノズル部７とでほとんどのノズル孔１２が正対しない構成となるため、騒音を低減させることができる。一般に、手のひら側は敏感であるとともに、手洗いにおいて手のひら同士をこすり合わせることで、付着する水滴は手のひら側に多くなる。このため、第１のノズル部６と第２のノズル部７とのうちの一方のみに実施の形態１の構成を適用する場合は、使用者側に位置する第１のノズル部６のほうに実施の形態１の構成を適用することが望ましい。これにより、騒音を低減させるとともに、空気流の吹き返しや水滴飛散の低減させる効果も得ることが可能となる。
【００４５】
本実施の形態は、スリット状のノズル孔１５について適用することとしても良い。この場合、第１のノズル部６を構成する少なくとも一部のノズル孔１５は、第２の壁部５のうち第２のノズル部７を構成するノズル孔１５が形成された位置以外の位置に正対し、第２のノズル部７を構成する少なくとも一部のノズル孔１５は、第１の壁部４のうち第１のノズル部６を構成するノズル孔１５が形成された位置以外の位置に正対させる。この場合も、手乾燥装置の騒音を低減させる効果を得ることができる。
【００４６】
実施の形態３．
図１６は、本発明の実施の形態３にかかる手乾燥装置の斜視図である。本実施の形態にかかる手乾燥装置は、手挿入口から手を挿抜可能に形成された手挿入部３と、手挿入部３へ高圧空気流を噴出するノズル部２１と、手挿入部３のうちノズル部２１に対向する位置に設けられた水受け部２２と、を有する。
【００４７】
ノズル部２１は、実施の形態１の第１のノズル部６あるいは第２のノズル部７と同様に構成されている。ノズル部２１は、複数のノズル孔群１０（図３参照）から構成されている。ノズル孔群１０は、手挿入部３の中央部から一方の端部側、および中央部から他方の端部側のそれぞれに複数設けられている。各ノズル孔群１０は、複数のノズル孔１２を概略直線状に並列させたものである。各ノズル孔群１０は、手挿入部３の中央部側に位置するノズル孔１２が挿入手前側、手挿入部３の端部側に位置するノズル孔が挿入奥側となるように、複数のノズル孔１２を斜めに並列させている。また、各ノズル孔群１０は、手挿入部３の中央部側に位置するノズル孔１２同士が略同じ直線１１上にあるように配置されている。
【００４８】
本実施の形態の場合も、製品サイズを大きくさせず、使用者への空気流の吹き返しおよび水滴の飛散を防止可能とし、使用者にとって使い勝手の良い手乾燥装置を得ることができる。
【００４９】
本実施の形態は、スリット状のノズル孔１５（図６参照）について適用することとしても良い。この場合、ノズル部２１は、スリット状のノズル孔１５が複数設けられて構成されている。ノズル孔１５は、手挿入部３の中央部から一方の端部側、および中央部から他方の端部側のそれぞれに複数設けられている。ノズル孔１５は、手挿入部３の中央部側の部分が挿入手前側、手挿入部３の端部側の部分が挿入奥側となるように斜めに形成されている。また、各ノズル孔１５は、手挿入部３の中央部側の部分同士が略同じ直線１１上にあるように配置されている。スリット状の複数のノズル孔１５を設ける場合も、複数のノズル孔群１０を設ける場合と同様の効果を得ることができる。
【００５０】
また、ノズル部２１は、実施の形態１の各変形例のいずれかの構成を適用しても良い。ノズル部２１は、例えば、中央部側に位置するノズル孔群１０あるいはノズル孔１５が、端部側に位置するノズル孔群１０あるいはノズル孔１５よりも挿入手前側に位置する構成（図８から図１０参照）としても良い。この場合、使用者への空気流の吹き返しや水滴の飛散をさらに抑制させることが可能となる。
【００５１】
ノズル部２１は、さらに、ノズル孔群１０あるいはノズル孔１５の傾きを異ならせた構成（図１１参照）、端部側に位置するノズル孔群１０あるいはノズル孔１５が、中央部側に位置するノズル孔群１０あるいはノズル孔１５よりも短く形成された構成（図１２参照）、中央部側に位置する一部のノズル孔群１０あるいはノズル孔１５を斜めにし、端部側に位置するノズル孔群１０あるいはノズル孔１５を略水平に並列させた構成（図１３参照）を適用しても良い。
【産業上の利用可能性】
【００５２】
以上のように、本発明にかかる手乾燥装置は、トイレや手洗い場等に設置される手乾燥装置として有用であり、特に、狭いスペースへの設置に適している。
【符号の説明】
【００５３】
１  本体
２  手挿入口
３  手挿入部
４  第１の壁部
５  第２の壁部
６  第１のノズル部
７  第２のノズル部
８  送風機
９  ドレンタンク
１０  ノズル孔群
１１  直線
１２、１５  ノズル孔
２１  ノズル部
２２  水受け部
【図１】
0005586302.tif 000002
【図２】
0005586302.tif 000003
【図３】
0005586302.tif 000004
【図４】
0005586302.tif 000005
【図５】
0005586302.tif 000006
【図６】
0005586302.tif 000007
【図７】
0005586302.tif 000008
【図８】
0005586302.tif 000009
【図９】
0005586302.tif 000010
【図１０】
0005586302.tif 000011
【図１１】
0005586302.tif 000012
【図１２】
0005586302.tif 000013
【図１３】
0005586302.tif 000014
【図１４】
0005586302.tif 000015
【図１５】
0005586302.tif 000016
【図１６】
0005586302.tif 000017